(57)【要約】      （修正有）【課題】表面処理を施した後の焼入れで生じる熱処理歪を十分低減することができ、寸法精度の高い「高強度表面硬化部品」を得るのに好適な表面硬化処理用鋼材の提供。【解決手段】Ｃ：０．１０〜０．３０％、Ｓｉ≦０．３５％、Ｍｎ：０．１５〜１．５％、Ｐ≦０．０４％、Ｓ：０．００１〜０．０７％、Ｃｒ：１．５〜３．０％、Ａｌ：０．０２〜０．０５％、Ｎ：０．００３５〜０．０１００％、Ｔｉ：０．００５〜０．１０％、Ｂ：０．０００５〜０．００５０％を含有し、〔４．１≦ＤＩ＝０．３１１×Ｃ0.5×（１＋０．６４×Ｓｉ）×（１＋４．１０×Ｍｎ）×（１＋２．８３×Ｐ）×（１−０．６２×Ｓ）×（１＋２．３３×Ｃｒ）×（１＋３．１４×Ｍｏ）×｛１＋１．５×（０．９０−Ｃ）｝≦２０．０〕、かつ、横断面内におけるＤＩの標準偏差が０．２５以下であって、残部がＦｅと不純物からなる化学組成を有する表面硬化処理用鋼材。【選択図】なし【特許請求の範囲】
【請求項１】
質量％で、Ｃ：０．１０〜０．３０％、Ｓｉ：０．３５％以下、Ｍｎ：０．１５〜１．５％、Ｐ：０．０４％以下、Ｓ：０．００１〜０．０７％、Ｃｒ：１．５〜３．０％、Ａｌ：０．０２〜０．０５％、Ｎ：０．００３５〜０．０１００％、Ｔｉ：０．００５〜０．１０％およびＢ：０．０００５〜０．００５０％を含有し、下記の（１）式で表されるＤＩの範囲が４．１〜２０．０、かつ、横断面内におけるＤＩの標準偏差が０．２５以下であって、残部がＦｅおよび不純物からなる化学組成を有することを特徴とする表面硬化処理用鋼材。
ＤＩ＝０．３１１×Ｃ0.5×（１＋０．６４×Ｓｉ）×（１＋４．１０×Ｍｎ）×（１＋２．８３×Ｐ）×（１−０．６２×Ｓ）×（１＋２．３３×Ｃｒ）×（１＋３．１４×Ｍｏ）×｛１＋１．５×（０．９０−Ｃ）｝・・・（１）
ただし、（１）式中の元素記号は、その元素の質量％での含有量を表す。
【請求項２】
Ｆｅの一部に代えて、質量％で、Ｎｂ：０．０７％以下およびＶ：０．０８％以下のうちの１種以上を含有することを特徴とする請求項１に記載の表面硬化処理用鋼材。
【請求項３】
Ｆｅの一部に代えて、質量％で、Ｍｏ：０．５０％以下を含有することを特徴とする請求項１または２に記載の表面硬化処理用鋼材。
【発明の詳細な説明】
【技術分野】
【０００１】
本発明は、表面硬化処理用鋼材に関し、詳しくは、浸炭処理、浸炭窒化処理など表面処理を施した後の焼入れにおいて発生する熱処理歪を低減し、寸法精度の高い表面硬化部品の製造を可能とする表面硬化処理用鋼材に関する。
【背景技術】
【０００２】
従来、機械構造部品であるシャフト、ギヤなど表面硬化処理を施された部品の素材鋼として、ＪＩＳに規定された「機械構造用合金鋼鋼材」であるＳＣｒ４２０、ＳＣＭ４２０などが用いられてきた。なお、以下の説明において、表面硬化処理を施された部品を「表面硬化部品」という。
【０００３】
しかしながら、最近、表面硬化部品に対する高強度化の要求が益々高まっており、このため、曲げ強度、ねじり強度、疲労強度などを向上させるため種々の表面硬化処理用鋼（以下、「肌焼鋼」ということがある。）が提案されている。
【０００４】
表面硬化部品は、一般に、肌焼鋼を素材として用いて、「球状化焼鈍−伸線」または「伸線−球状化焼鈍−スキンパス」による鋼線の製造、冷間鍛造や機械加工による所定形状への成形、次いで、疲労強度、耐摩耗性などの特性を改善するための浸炭、浸炭窒化などの表面処理、焼入れおよび焼戻しの各処理を順次行うことによって製造される。
【０００５】
このようにして製造される表面硬化部品には、作動時の円滑性や静粛性を向上させるために高い寸法精度が求められ、これには、上記焼入れの際に生じる熱処理歪を極力少なくすることが重要となる。
【０００６】
そこで、熱処理歪を低減するための技術が、例えば、特許文献１〜３に提案されている。
【０００７】
具体的には、特許文献１に、棒状圧延材の横断面において等軸晶の占める領域を面積率で３０％以下とした「浸炭焼入れによる熱処理歪の少ない肌焼鋼」が開示されている。なお、特許文献１によれば、比較的大きな速度で冷却を施しながら連続鋳造を行うことが望ましく、鋳造開始から約８００℃までを４℃／ｍｉｎ以上の速度で冷却し、等軸晶の占める面積率を３０％以下することによって、低熱処理歪特性が得られる。
【０００８】
特許文献２には、「冷間加工性と低浸炭歪み特性に優れた肌焼鋼とその製造方法」が開示されている。特許文献２によれば、加熱温度を１１５０℃以上、熱間圧延の仕上げ温度を８４０〜１０００℃、熱間圧延に引き続いて８００〜５００℃の温度範囲を１℃／秒以下の冷却速度で徐冷する条件により、ベイナイトの組織分率を１５％以下に制限し、熱間圧延方向に平行な断面の組織のフェライトバンドの評点を１〜５とすることによって、浸炭焼入れ時の熱処理歪みを軽減できる。
【０００９】
特許文献３には、連続鋳造により製造した肌焼鋼であって、鋳片の径方向断面内におけるＣおよびＭｎのミクロ偏析度を所定の範囲内にすること、すなわち、径方向断面において、４本の等分線で得られた全ての測定値における最大値と最小値の差と、４本の等分線において隣接する測定値の差を、特定の値以内とすることによって、浸炭処理後に焼入れした際に発生する歪を低減できる「肌焼鋼」が開示されている。
【先行技術文献】
【特許文献】
【００１０】
【特許文献１】特開平１１−１３１１８４号公報
【特許文献２】特開平１１−３３５７７７号公報
【特許文献３】特開２００６−９７０６６号公報
【発明の概要】
【発明が解決しようとする課題】
【００１１】
前述の特許文献１〜３に開示された技術では、表面硬化部品に対する一層の高強度化要求に伴って増大することが避けられない熱処理歪を低減するには不十分である。
【００１２】
すなわち、特許文献１および特許文献２に開示されている肌焼鋼では、断面内の成分ばらつきによって焼入れ性が上がるので、発生する熱処理歪の増大の抑制が不十分になることを避けられない。
【００１３】
本発明は、上記現状に鑑みてなされたもので、浸炭処理、浸炭窒化処理など表面処理を施した後の焼入れにおいて生じる熱処理歪を十分低減することができ、寸法精度の高い「高強度表面硬化部品」を得るのに好適な表面硬化処理用鋼材を提供することを目的とする。
【課題を解決するための手段】
【００１４】
本発明者らは、表面硬化部品の製造において、表面処理後に焼入れした際の熱処理歪を低減させるために、一般的な肌焼鋼として周知のＪＩＳに規定された「クロム鋼」および「クロムモリブデン鋼」をベースとして、Ｃ、Ｓｉ、Ｍｎ、Ｐ、Ｓ、Ｃｒ、Ｍｏ、Ａｌ、Ｎ、Ｔｉ、Ｂ、ＮｂおよびＶの含有量を種々変えた鋼を用い、これらの元素が表面硬化部品の熱処理歪に及ぼす影響について種々検討を重ねた。
【００１５】
その結果、特定の成分組成を有する表面硬化部品においては、熱処理歪が、式中の元素記号をその元素の質量％での含有量として、下記の（１）式で表されるＤＩと相関があることを見出した。
ＤＩ＝０．３１１×Ｃ0.5×（１＋０．６４×Ｓｉ）×（１＋４．１０×Ｍｎ）×（１＋２．８３×Ｐ）×（１−０．６２×Ｓ）×（１＋２．３３×Ｃｒ）×（１＋３．１４×Ｍｏ）×｛１＋１．５×（０．９０−Ｃ）｝・・・（１）。
【００１６】
すなわち、特定の成分組成を有する表面硬化部品においては、上記（１）式で表されるＤＩを特定の値以下に調整したうえで、さらに、ＤＩの標準偏差を特定の値以下にすれば、浸炭処理や浸炭窒化処理などの表面処理後の焼入れにおいて生じる熱処理歪を十分低減することができ、したがって、より高い寸法精度が得られることを見出した。
【００１７】
本発明は、上記の知見に基づいて完成されたものであり、その要旨は、下記（１）〜（３）に示す表面硬化処理用鋼材にある。
【００１８】
（１）質量％で、Ｃ：０．１０〜０．３０％、Ｓｉ：０．３５％以下、Ｍｎ：０．１５〜１．５％、Ｐ：０．０４％以下、Ｓ：０．００１〜０．０７％、Ｃｒ：１．５〜３．０％、Ａｌ：０．０２〜０．０５％、Ｎ：０．００３５〜０．０１００％、Ｔｉ：０．００５〜０．１０％およびＢ：０．０００５〜０．００５０％を含有し、下記の（１）式で表されるＤＩの範囲が４．１〜２０．０、かつ、横断面内におけるＤＩの標準偏差が０．２５以下であって、残部がＦｅおよび不純物からなる化学組成を有することを特徴とする表面硬化処理用鋼材。
ＤＩ＝０．３１１×Ｃ0.5×（１＋０．６４×Ｓｉ）×（１＋４．１０×Ｍｎ）×（１＋２．８３×Ｐ）×（１−０．６２×Ｓ）×（１＋２．３３×Ｃｒ）×（１＋３．１４×Ｍｏ）×｛１＋１．５×（０．９０−Ｃ）｝・・・（１）
ただし、（１）式中の元素記号は、その元素の質量％での含有量を表す。
【００１９】
（２）Ｆｅの一部に代えて、質量％で、Ｎｂ：０．０７％以下およびＶ：０．０８％以下のうちの１種以上を含有することを特徴とする上記（１）に記載の表面硬化処理用鋼材。
【００２０】
（３）Ｆｅの一部に代えて、質量％で、Ｍｏ：０．５０％以下を含有することを特徴とする上記（１）または（２）に記載の表面硬化処理用鋼材。
【００２１】
なお、残部としての「Ｆｅおよび不純物」における「不純物」とは、鉄鋼材料を工業的に製造する際に、原料としての鉱石やスクラップあるいは環境などから混入するものを指す。
【発明の効果】
【００２２】
本発明の表面硬化処理用鋼材は、浸炭処理、浸炭窒化処理など表面処理を施した後の焼入れにおいて生じる熱処理歪を十分低減することができるので、寸法精度の高い「高強度表面硬化部品」の素材として好適である。
【図面の簡単な説明】
【００２３】
【図１】実施例で用いた４点曲げ疲労試験片の形状を示す図である。図における寸法の単位は「ｍｍ」である。
【図２】実施例における「浸炭焼入れ−焼戻し」のヒートパターンを示す図である。なお、図中の「Ｃｐ」はカーボンポテンシャルを表し、「Ｏ．Ｑ．（１５０℃）」は１５０℃の油中に焼入れしたことを示す。
【図３】実施例で用いた熱処理歪用試験片と熱処理歪測定の試験方法を説明する図である。
【発明を実施するための形態】
【００２４】
以下、本発明の各要件について詳しく説明する。なお、各元素の含有量の「％」は「質量％」を意味する。
【００２５】
Ｃ：０．１０〜０．３０％
Ｃは、シャフト、ギヤなど表面硬化部品の生地の強度を確保するのに必要な元素であり、その含有量が０．１０％未満では添加効果に乏しい。一方、その含有量が０．３０％を超えると、前記表面硬化部品の生地の靱性が低下する。したがって、Ｃの含有量を０．１０〜０．３０％とした。なお、Ｃの含有量は０．１２％以上、０．２５％以下であることが好ましい。
【００２６】
Ｓｉ：０．３５％以下
Ｓｉは、脱酸作用を有する元素であるが、含有量が過剰になると加工性の低下をきたす。さらに、Ｓｉは、浸炭処理した部品の表面部に粒界酸化層を生成させて疲労強度の低下を招く。そのため、Ｓｉの含有量は０．３５％以下とした。望ましいＳｉの含有量は０．３０％以下である。
【００２７】
Ｍｎ：０．１５〜１．５％
Ｍｎは、焼入れ性を向上させる作用を有する。この効果を得るには、０．１５％以上のＭｎ含有量が必要である。しかしながら、Ｍｎの含有量が１．５％を超えると、被削性が低下する。したがって、Ｍｎの含有量を０．１５〜１．５％とした。なお、Ｍｎの含有量は０．３０％以上、１．２％以下であることが好ましい。
【００２８】
Ｐ：０．０４％以下
Ｐは、靱性を低下させる不純物であり、その含有量が多くなると靱性の低下が著しくなるため、その含有量は０．０４％以下とした。なお、望ましいＰの含有量は０．０３％以下である。
【００２９】
Ｓ：０．００１〜０．０７％
Ｓは、被削性を向上させる作用を有する。この効果を得るには、０．００１％以上のＳ含有量が必要である。しかしながら、Ｓの含有量が０．０７％を超えると、冷間鍛造性および熱間加工性の低下をきたし、さらに、シャフト、ギヤなど表面硬化部品における表面硬化層の靱性が低下する。したがって、Ｓの含有量を０．００１〜０．０７％とした。なお、Ｓの含有量は０．０１％以上、０．０５％以下であることが好ましい。
【００３０】
Ｃｒ：１．５〜３．０％
Ｃｒは、シャフト、ギヤなど表面硬化部品の生地の焼入れ性を向上させる効果を有する。上記の効果を得るためには、１．５％以上のＣｒを含有させる必要がある。しかしながら、Ｃｒの含有量が３．０％を超えると、被削性が劣化する。したがって、Ｃｒの含有量を１．５〜３．０％とした。なお、Ｃｒの含有量は１．６％以上、２．５％以下であることが好ましい。
【００３１】
Ａｌ：０．０２〜０．０５％
Ａｌは、Ｎと結合してＡｌＮを形成し、オーステナイト領域での結晶粒粗大化を抑制する作用がある。上記の効果を得るためには、０．０２％以上のＡｌを含有させる必要がある。しかしながら、Ａｌの含有量が０．０５％を超えると、疲労破壊の起点となる巨大なアルミナ介在物を生成し、疲労強度の低下をきたす場合がある。したがって、Ａｌの含有量を０．０２〜０．０５％とした。
【００３２】
Ｎ：０．００３５〜０．０１００％
Ｎは、Ａｌと結合してＡｌＮを形成し、オーステナイト領域での結晶粒粗大化を抑制する作用がある。この効果を得るために、Ｎの含有量を０．００３５％以上とする必要がある。しかしながら、Ｎの含有量が過剰になって０．０１００％を超えると、冷間鍛造性の低下をきたし、さらに、Ｂと結合してＢＮを形成するので、後述するＢの焼入れ性向上効果が不十分になってしまう。そのため、Ｎの含有量を０．００３５〜０．０１００％とした。
【００３３】
Ｔｉ：０．００５〜０．１０％  
Ｔｉは、ＣおよびＮとともに炭窒化物を形成し、その粒界ピン止め作用によって粗粒化を抑制する作用を有する。しかしながら、Ｔｉの含有量が０．００５％未満では、耐粗粒化効果が乏しく、一方、０．１０％を超えると、冷間鍛造性の低下を招く。そのため、Ｔｉの含有量を０．００５〜０．１０％とした。なお、Ｔｉの含有量は０．０１％以上、０．０５％以下であることが好ましい。
【００３４】
Ｂ：０．０００５〜０．００５０％
Ｂは、微量で鋼材の焼入れ性を向上させる作用を有しており、さらに結晶粒界を強化して低サイクル曲げ疲労強度を向上する作用も有している。しかしながら、Ｂの含有量が０．０００５％未満では十分な焼入れ性向上効果が得られない。一方、０．００５０％を超えるＢを含有させてもその効果が飽和し、コストが嵩むばかりである。したがって、Ｂの含有量は、０．０００５〜０．００５０％とした。なお、Ｂの含有量は０．００１％以上、０．００３％以下であることが好ましい。
【００３５】
ＤＩ：４．１〜２０．０
Ｃ、Ｓｉ、Ｍｎ、Ｐ、Ｓ、ＣｒおよびＭｏは、低サイクル曲げ疲労特性および、浸炭処理や浸炭窒化処理などの表面処理後の焼入れにおいて生じる熱処理歪に影響を及ぼす元素であって、それぞれの含有量が適正な範囲にあり、しかも、前記の（１）式で表されるＤＩ、つまり、〔０．３１１×Ｃ0.5×（１＋０．６４×Ｓｉ）×（１＋４．１０×Ｍｎ）×（１＋２．８３×Ｐ）×（１−０．６２×Ｓ）×（１＋２．３３×Ｃｒ）×（１＋３．１４×Ｍｏ）×｛１＋１．５×（０．９０−Ｃ）｝〕が４．１〜２０．０の範囲にあることが必要である。
【００３６】
すなわち、前記の（１）式で表されるＤＩが４．１未満の場合には、低サイクル曲げ疲労強度の高強度化を満足できない。一方、ＤＩが４．１以上の場合であっても、２０．０を超えて大きい場合には、表面処理後の焼入れにおいて生じる熱処理歪も極めて大きくなるため、曲げ加工等による歪矯正だけでは、熱処理歪を除去することができない。したがって、ＤＩが４．１〜２０．０の範囲にあることが必要である。なお、ＤＩは、４．５以上であることが好ましく、また、１５．０以下であることが好ましい。
【００３７】
横断面内におけるＤＩの標準偏差：０．２５以下
表面処理後の焼入れにおいて生じる熱処理歪を低減するためには、前記の（１）式で表されるＤＩが上記の４．１〜２０．０の範囲であることに加えて、鋼材の横断面内におけるＤＩの標準偏差が０．２５以下でなければならない。たとえＤＩが４．１〜２０．０の範囲にあっても、鋼材の横断面内におけるＤＩの標準偏差が０．２５を超えると、焼入れ性が部分的に高くなって、浸炭、浸炭窒化など表面処理後の焼入れ熱処理歪を低減することができなくなるからである。鋼材の横断面内におけるＤＩの標準偏差は０．２２以下であることが好ましい。
【００３８】
鋼材の横断面内におけるＤＩの標準偏差は、例えば、後述の実施例に示すように、鋼材の横断面内の適宜の位置から化学成分分析用のサンプルを採取し、それぞれの位置におけるＤＩから算出することができる。
【００３９】
なお、例えば、浸炭、浸炭窒化などの表面処理を行う前に、鋼材に対して焼ならしなど適宜の処理を施すことによって、前記の（１）式に含まれる元素の偏析を抑えることができるので、上記した鋼材の横断面内におけるＤＩの標準偏差を容易に０．２５以下にすることができる。
【００４０】
本発明の表面硬化処理用鋼材の一つは、上記元素のほか、残部がＦｅおよび不純物からなる化学組成を有するものである。
【００４１】
本発明の表面硬化処理用鋼材の他の一つは、Ｆｅの一部に代えて、Ｎｂ、ＶおよびＭｏのうちの１種以上の元素を含有するものである。
【００４２】
以下、任意元素である上記Ｎｂ、ＶおよびＭｏの作用効果と、含有量の限定理由について説明する。
【００４３】
ＮｂおよびＶは、いずれも、粗粒化を抑制する作用を有する。このため、粗粒化抑制効果を得たい場合には、これらの元素を含有させてもよい。以下、上記のＮｂおよびＶについて説明する。
【００４４】
Ｎｂ：０．０７％以下
Ｎｂは、前記Ｔｉと同様に、ＣおよびＮとともに炭窒化物を形成し、その粒界ピン止め作用によって粗粒化を抑制する作用を有するため、必要に応じて含有させてもよい。しかしながら、Ｎｂの含有量が過剰になって０．０７％を超えると、冷間鍛造性の低下を招く。したがって、含有させる場合のＮｂの含有量を０．０７％以下とした。なお、Ｎｂの含有量は０．０５％以下であることが好ましい。
【００４５】
一方、前記したＮｂの粗粒化抑制効果を確実に得るためには、Ｎｂの含有量は０．００５％以上であることが好ましい。
【００４６】
Ｖ：０．０８％以下
Ｖは、前記ＴｉおよびＮｂと同様に、ＣおよびＮとともに炭窒化物を形成し、その粒界ピン止め作用によって粗粒化を抑制する作用を有するため、必要に応じて含有させてもよい。しかしながら、Ｖの含有量が過剰になって０．０８％を超えると、冷間鍛造性の低下を招く。したがって、含有させる場合のＶの含有量を０．０８％以下とした。なお、Ｖの含有量は０．０５％以下であることが好ましい。
【００４７】
一方、前記したＶの粗粒化抑制効果を確実に得るためには、Ｖの含有量は０．００５％以上であることが好ましい。
【００４８】
なお、上記のＮｂおよびＶは、そのうちのいずれか１種のみ、または２種の複合で含有させることができる。なお、これらの元素の合計含有量は０．１５％であっても構わないが、０．１０％以下とすることが好ましい。
【００４９】
Ｍｏ：０．５０％以下
Ｍｏは、焼入れ性を向上させる作用およびシャフト、ギヤなど表面硬化部品における生地の硬さを向上させる作用を有するため、必要に応じて含有させてもよい。しかしながら、Ｍｏの含有量が過剰になって０．５０％を超えると、冷間鍛造性の低下をきたす。したがって、含有させる場合のＭｏの含有量を０．５０％以下とした。なお、Ｍｏの含有量は０．４０％以下であることが好ましい。
【００５０】
一方、前記したＭｏの効果を確実に得るためには、Ｍｏの含有量は０．０３％以上であることが好ましい。
【００５１】
本発明の表面硬化処理用鋼材は、例えば、次の〈１〉および〈２〉の工程を経ることで製造することができる。
【００５２】
〈１〉個々の成分元素の含有量が、それぞれ前記した範囲にある鋼を溶製した後、連続鋳造法または鋼塊法によって鋳込む際に、鋳込み開始から１２５０℃までの温度域を１５℃／分以上の冷却速度で、また、１２５０℃から１０００℃までの温度域を１５℃／分以下の冷却速度で冷却する。
【００５３】
〈２〉上記〈１〉のようにして得た鋳片または鋼塊に、１２５０℃で５時間以上また、エネルギー消費が多大になることやスケールロス防止といった観点から１５時間以内の均熱処理を施してから分塊圧延する。
【００５４】
なお、上記〈１〉の工程において、鋳込み開始から１２５０℃までの温度域を１５℃／分以上の冷却速度で冷却することによって、Ｃ、Ｍｎ、ＣｒなどＤＩを構成する各元素の偏析を低減でき、しかも、１２５０℃から１０００℃までの温度域を１５℃／分以下の冷却速度で冷却することによって、偏析していた元素が拡散するため、偏析をさらに低減できる。
【００５５】
そして、分塊圧延する前に、１２５０℃で５時間以上１５時間以内の均熱処理を施すことによって、偏析した元素がさらに拡散するので、鋼材の横断面内ＤＩの標準偏差を低減することができる。
【００５６】
なお、上記の各処理における温度および冷却速度は、いずれも表面を基準とする温度および冷却速度を指す。
【００５７】
上記〈１〉および〈２〉の工程を経て分塊圧延された鋼材を、さらに熱間圧延、熱間鍛造など各種の方法によって、棒鋼など所要の形状に加工することによって、鋼材の横断面内ＤＩの標準偏差を一層低減することができる。
【００５８】
さらに、上記棒鋼など所要の形状に加工した鋼材に対して、浸炭、浸炭窒化などの表面処理を行う前に、焼ならしなど適宜の熱処理を施すことによって、上記した鋼材の横断面内におけるＤＩの標準偏差をさらに一層低減することができる。
【００５９】
以下、実施例により本発明をさらに詳しく説明する。
【実施例】
【００６０】
表１に示す化学組成を有する鋼１〜１２を真空溶解炉で溶解した後、インゴットに鋳造した。鋼１〜６は、個々の成分元素の含有量およびＤＩが本発明で規定する範囲内にある鋼であり、一方、鋼７〜１２は、化学組成が本発明で規定する条件から外れた鋼である。
【００６１】
【表１】
2011102425.tif 000002
【００６２】
なお、鋼１、鋼５、鋼７〜９、鋼１１および鋼１２は５０ｋｇ真空溶解炉で溶解し、５０ｋｇ鋳型に鋳造して５０ｋｇインゴットを作製した。鋼２および鋼４は１００ｋｇ真空溶解炉で溶解し、１００ｋｇ鋳型に鋳造して１００ｋｇインゴットを作製した。また、鋼３は１５０ｋｇ真空溶解炉で溶解し、１５０ｋｇ鋳型に鋳造して１５０ｋｇインゴットを作製した。さらに、鋼６および鋼１０は２００ｋｇ真空溶解炉で溶解し、５０ｋｇ鋳型と１５０ｋｇ鋳型に分けて鋳造して、５０ｋｇインゴットと１５０ｋｇインゴットを作製した。なお、いずれの場合も鋳鉄鋳型を用いて鋳造した。
【００６３】
インゴットの平均直径は、１５０ｋｇインゴットが２２０ｍｍ、１００ｋｇインゴットが１８０ｍｍ、５０ｋｇインゴットが１５０ｍｍである。ここで、インゴットのサイズを変化させたのは、鋳込みの冷却速度を種々変化させるためである。
【００６４】
上記のようにして得たインゴットのうちで、鋼１〜７および鋼１〜１２のインゴットはいずれも３分割してから、また、鋼８および鋼９のインゴットは鋳造ままで分割することなく、以下に述べる各試験に供した。
【００６５】
（実施例１）
鋼１〜５および鋼７については、各３分割したうちの１つのインゴットを用いて、また、鋼６については、１５０ｋｇインゴットを３分割したうちの１つのインゴットを用いて、さらに、鋼８および鋼９については、鋳造ままのインゴットを用いて、いずれも、１２５０℃で５時間保持してから熱間鍛造して直径３０ｍｍの丸棒を作製した。
【００６６】
このようにして得た直径３０ｍｍの丸棒は、９２５℃で６０分間焼きならしした後、常温まで空冷した。
【００６７】
次いで、上記の熱処理を施した直径３０ｍｍの各丸棒の中心部から図１に示す形状の４点曲げ疲労試験片を加工し、この試験片に対して図２に示すヒートパターンによる「浸炭焼入れ−焼戻し」を施した。
【００６８】
なお、図１における上記４点曲げ疲労試験片の寸法の単位は「ｍｍ」である。また、図２中の「Ｃｐ」はカーボンポテンシャルを表し、「Ｏ．Ｑ．（１５０℃）」は１５０℃の油中に焼入れしたことを示す。
【００６９】
上記の「浸炭焼入れ−焼戻し」を施した各試験片に、サーボ型疲労試験機を用いて、種々のレベルの応力をかけて低サイクル曲げ疲労試験（４点曲げ疲労試験）を行い、１０００回疲労強度を測定した。なお、１０００回疲労強度で１１００ＭＰａ以上が確保されていれば、低サイクル曲げ疲労特性は良好であると評価した。
【００７０】
表２に、上記のようにして測定した１０００回疲労強度を示す。
【００７１】
【表２】
2011102425.tif 000003
【００７２】
表２から、個々の成分元素の含有量およびＤＩが本発明で規定する範囲内にある鋼１〜６を用いた試験番号１〜６の場合、１１００ＭＰａを超える１０００回疲労強度が得られており、低サイクル曲げ疲労特性が良好であることがわかる。
【００７３】
これに対して、化学組成が本発明で規定する条件から外れた鋼７〜９を用いた試験番号７〜９の場合、１０００回疲労強度が目標とする１１００ＭＰａに達しておらず、低サイクル曲げ疲労特性に劣っている。
【００７４】
（実施例２）
前記（実施例１）で用いた残りのインゴット、つまり、鋼１〜５および鋼７の各３分割したうちの残りのインゴット、鋼６の１５０ｋｇインゴットを３分割したうちの残り２つのインゴットと５０ｋｇインゴットを３分割した全３つのインゴット、鋼１０〜１２の５０ｋｇインゴットを３分割した全３つのインゴットおよび鋼１０の１５０ｋｇインゴットを３分割した全３つのインゴットについて、１２５０℃で２〜８時間保持してから熱間鍛造して直径３０ｍｍの丸棒を作製した。
【００７５】
このようにして得た直径３０ｍｍの丸棒はいずれも、９２５℃で６０分間焼きならしした後、常温まで空冷した。
【００７６】
次いで、上記の熱処理を施した直径３０ｍｍの各丸棒および前述の（実施例１）において上記と同じ熱処理を施した各丸棒について、直径２ｍｍのドリルを用いて、中心部、表面と中心の中間部位８箇所、表面から３ｍｍの部位１２箇所の合計２１箇所の横断面の各部位から化学成分分析のためのサンプル（切り粉）を採取して成分分析を行い、その結果に基づいて、横断面内におけるＤＩの標準偏差を算出した。さらに、上記各丸棒の中心部から図３に示す形状の熱処理歪用試験片を加工し、この試験片について、図２に示すヒートパターンによる「浸炭焼入れ−焼戻し」を施す前後で、１９０ｍｍの間隔を設けた２つのＶブロック上に載せて回転させ、二等分位置の変位を測定して熱処理歪を調査した。なお、変位が０．１０ｍｍ以下である場合に、熱処理歪は小さく良好であると評価した。
【００７７】
表３に、上記の各調査結果を、鋳造したインゴットの質量および１２５０℃での保持時間とともに示す。
【００７８】
【表３】
2011102425.tif 000004
【００７９】
表３から、試験番号１０〜２７、試験番号２９および試験番号３０の場合、用いた鋼１〜６の個々の成分元素の含有量およびＤＩが本発明で規定する範囲内にあり、しかも鋼材の横断面内におけるＤＩの標準偏差も本発明で規定する条件を満たすため、「浸炭焼入れ−焼戻し」を施す前後での変位量は０．１０ｍｍ以下であって、熱処理歪は小さいことが明らかである。
【００８０】
これに対して、試験番号２８の場合、用いた鋼６の個々の成分元素の含有量およびＤＩは本発明で規定する範囲内にあるものの、鋼材の横断面内におけるＤＩの標準偏差が０．２８で本発明で規定する条件から外れるため、「浸炭焼入れ−焼戻し」を施す前後での変位量は目標とする０．１０ｍｍを大きく超える０．１８ｍｍであって、熱処理歪が大きくなっている。
【００８１】
また、試験番号３４〜３９の場合は、用いた鋼１０の個々の成分元素の含有量は本発明で規定する範囲内にあるものの、ＤＩが本発明で規定する条件から外れるため、「浸炭焼入れ−焼戻し」を施す前後での変位量は目標とする０．１０ｍｍを超える０．１２〜０．２１ｍｍであって、熱処理歪が大きくなっている。上記のうちでも試験番号３４〜３８の場合は、鋼材の横断面内におけるＤＩの標準偏差が本発明で規定する条件から外れているため、「浸炭焼入れ−焼戻し」を施す前後での変位量は、鋼材の横断面内におけるＤＩの標準偏差が本発明で規定する条件を満たす試験番号３９の場合の０．２４ｍｍに比べて大きい。
【００８２】
試験番号４０〜４２の場合、用いた鋼１１のＣｒ含有量が本発明で規定する条件から外れ、また、試験番号４３〜４５の場合、用いた鋼１２のＣ含有量が本発明で規定する条件から外れ、さらに、いずれの場合も鋼材の横断面内におけるＤＩの標準偏差が本発明で規定する条件から外れているため、「浸炭焼入れ−焼戻し」を施す前後での変位量は目標とする０．１０ｍｍを大きく超える０．１７〜０．２４ｍｍであって、熱処理歪が大きくなっている。
【００８３】
なお、試験番号３１〜３３の場合は、「浸炭焼入れ−焼戻し」を施す前後での変位量は０．１０ｍｍ以下であって、熱処理歪は小さいが、用いた鋼７のＣｒ含有量とＤＩが本発明で規定する条件から外れているので、前記（実施例１）で述べたように、１０００回疲労強度が目標とする１１００ＭＰａに達しておらず、低サイクル曲げ疲労特性に劣っていた。
【産業上の利用可能性】
【００８４】
本発明の表面硬化処理用鋼材は、浸炭処理、浸炭窒化処理など表面処理を施した後の焼入れにおいて生じる熱処理歪を十分低減することができるので、寸法精度の高い「高強度表面硬化部品」の素材として好適である。
【図１】
2011102425.tif 000005
【図２】
2011102425.tif 000006
【図３】
2011102425.tif 000007